(57)【要約】      （修正有）【課題】アームレストにおける擦れ音の発生を手間なく安価に防止することができ、かつ車両の側突時における自動車用内装部品の反力低減を図るのに好適な、アームレストを備えた自動車用内装部品を提供する。【解決手段】ドアトリムは、車両の側壁パネルの室内面に取り付けられるドアトリム本体と、ドアトリム本体に装備したアームレスト４と、を備え、アームレスト４はベースとなるアームレスト芯材４０１と、アームレスト芯材４０１の表面を覆うアームレスト表皮材４０２と、アームレスト芯材４０１とアームレスト表皮材４０２との間に介在するアームレストパッド４０３と、を備え、アームレストパッド４０３が接触しているアームレスト芯材４０１の表面にシボ等の凹凸Ｔが形成されることにより、そのアームレスト芯材４０１表面の平均摩擦係数が１．０以下に設定されている。【選択図】図２
2014151836.tif 000002
【特許請求の範囲】
【請求項１】
車両の側壁パネルの室内面に配置される自動車用内装部品（ＤＴ）であって、
前記自動車用内装部品（ＤＴ）は、
前記車両の側壁パネルの室内面に取り付けられるドアトリム本体（１）と、
前記ドアトリム本体（１）に装備したアームレスト（４）と、を備え、
前記アームレスト（４）は、
ベースとなるアームレスト芯材（４０１）と、
前記アームレスト芯材（４０１）の表面を覆うアームレスト表皮材（４０２）と、
前記アームレスト芯材（４０１）と前記アームレスト表皮材（４０２）との間に介在するアームレストパッド（４０３）と、を備え、
前記アームレストパッド（４０３）が接触している前記アームレスト芯材（４０１）の表面にシボ等の凹凸（Ｔ）が形成されることにより、そのアームレスト芯材（４０１）表面の平均摩擦係数が１．０以下に設定されていること
を特徴とする自動車用内装部品。
【発明の詳細な説明】
【技術分野】
【０００１】
本発明は、アームレストを備えた自動車用内装部品に関し、特に、アームレストにおける擦れ音、いわゆるスティック・スリップ音の発生を手間なく安価に防止でき、かつ、車両の側突時における自動車用内装部品の反力低減も図れるようにしたものである。
【背景技術】
【０００２】
アームレストを備えた自動車用内装部品としては、例えば、図１に示すドアトリムＤＴが知られている。同図のドアトリムＤＴは、ドアトリムロア２とドアトリムアッパー３の上下２分割体を一体に接合し、その接合部付近に乗員の肘掛としてアームレスト４を設けている。このようなアームレスト４を備えた自動車用内装部品としてのドアトリムＤＴは例えば、特許文献１に開示されている。
【０００３】
図３は、図１のドアトリムにおける従来のアームレストの断面図（図１のＡ−Ａ矢視断面図）である。この図３のアームレスト４は、ベースとなるアームレスト芯材４０１と、アームレスト芯材４０１の表面を覆うアームレスト表皮材４０２と、アームレスト芯材４０１とアームレスト表皮材４０２との間に介在するアームレストパッド４０３とを備えている。
【０００４】
しかしながら、図３に示した従来のアームレスト４にあっては、アームレスト芯材４０１の表面とこれに接触しているアームレストパッド４０３とをマスキングテープ、両面テープあるいは接着剤等の接着部材で接着しないものとしたら、アームレスト芯材４０１に対してアームレストパッド４０３が位置決め固定されないため、乗員が肘をアームレスト４に掛けた時に、アームレスト芯材４０１とアームレストパッド４０３とが擦れ合い、擦れ音が発生するという不具合が生じ得る。
【０００５】
この一方、図３に示した従来のアームレスト４において、アームレスト芯材４０１の表面とこれに接触しているアームレストパッド４０３とを接着部材で接着した場合は、その接着によってアームレスト芯材４０１とアームレストパッド４０３とが一体化し、アームレスト芯材４０１自体の座屈強度が高くなるため、車両の側突時におけるドアトリム１の反力がアップしてしまうという不具合が生じる。
【０００６】
すなわち、車両の側突時において、乗員の腰部がアームレスト４の垂直面部４Ｂに当接し、その垂直面部４Ｂに所定の荷重が作用すると、該荷重と反対向きの反力がドアトリムＤＴ側（具体的にはアームレスト４の垂直面部４Ｂ側）から乗員の腰部に作用する。このような反力はアームレスト芯材４０１がその段部４０１Ａ付近を基点として座屈変形する動作によって低減される。しかしながら、前記のようにアームレスト芯材４０１の表面にアームレストパッド４０３を接着してしまうと、接着したアームレストパッド４０３の影響によりアームレスト芯材４０１自体の座屈強度が高くなり、アームレスト芯材４０１が座屈変形し難くなることから、車両の側突時におけるドアトリム１の反力がアップするというものである。
【０００７】
また、前記のように接着部材でアームレスト芯材４０１の表面とアームレストパッド４０３とを接着する方式では、接着工程と接着部材が必要となるから、接着の手間と費用が発生し、ドアトリムＤＴのコストが高くならざるを得ず、安価に手間なくアームレストにおける擦れ音の発生を防止することはできない。
【先行技術文献】
【特許文献】
【０００８】
【特許文献１】特開２００９−６９３４号公報
【発明の概要】
【発明が解決しようとする課題】
【０００９】
本発明は前記問題点を解決するためになされたものであり、その目的は、アームレストにおける擦れ音の発生を手間なく安価に防止することができ、かつ、車両の側突時における自動車用内装部品の反力低減を図るのに好適な、自動車用内装部品を提供するものである。
【課題を解決するための手段】
【００１０】
前記目的を達成するために、本発明は、車両の側壁パネルの室内面に配置される自動車用内装部品であって、前記自動車用内装部品は、前記車両の側壁パネルの室内面に取り付けられるドアトリム本体と、前記ドアトリム本体に装備したアームレストと、を備え、前記アームレストは、ベースとなるアームレスト芯材と、前記アームレスト芯材の表面を覆うアームレスト表皮材と、前記アームレスト芯材と前記アームレスト表皮材との間に介在するアームレストパッドと、を備え、前記アームレストパッドが接触している前記アームレスト芯材の表面にシボ等の凹凸が形成されることにより、そのアームレスト芯材表面の平均摩擦係数が１．０以下に設定されていることを特徴とする。
【発明の効果】
【００１１】
本発明では、自動車用内装部品を構成するアームレストの構造として、前述の通り、そのアームレストを構成するアームレスト芯材の表面にシボ等の凹凸が形成されることにより、アームレスト芯材表面の平均摩擦係数（ＭＩＵ値）が１．０以下に設定されるように構成したため、下記（Ａ）（Ｂ）の作用効果が奏し得られる。
【００１２】
（Ａ）
前記平均摩擦係数の設定により、アームレスト芯材表面とアームレストパッドとの間での摩擦抵抗が減り、それらの摩擦による擦れ音の発生が抑制される。また、前記平均摩擦係数の設定は、アームレスト芯材の表面にシボ等の凹凸が形成されることによって設定される。従って、本発明によると、アームレストにおける擦れ音の抑制対策は、アームレスト芯材の表面を成形する成形金型の成形面に、前記シボ等の凹凸に対応する凹凸を追加するだけで済むから、この種の自動車用内装部品の製造工程において擦れ音抑制対策として従来実施していた手間と費用を要する工程、すなわち、接着部材によるアームレスト芯材表面とアームレストパッドの接着工程を廃止すること、及び、接着部材の省略による製造コスト削減を図ることもでき、アームレストにおける擦れ音の発生を手間なく安価に防止することができる。
【００１３】
（Ｂ）
本発明によると、アームレスト芯材表面とアームレストパッドは、従来のように接着部材で接着されておらず、それらは、シボ等の凹凸を介して、単に接触しているだけであり、アームレストパッドは何の力も加えないでアームレスト芯材の表面から上向き方向に外れるフリー状態になっている。このため、車両の側突時においてアームレスト芯材が座屈変形する時、その座屈変形の動作が従来のようにアームレストパッドによって著しく拘束されることはないから、車両側突時における自動車用内装部品の反力低減を図ることもできる。
【図面の簡単な説明】
【００１４】
【図１】車両の側壁パネルの室内面に自動車用内装部品として装着されるドアトリムの正面図。
【図２】図１のドアトリムに本発明を適用したときのアームレストの断面図（図１のＡ−Ａ矢視断面図）。
【図３】図１のドアトリムにおける従来のアームレストの断面図（図１のＡ−Ａ矢視断面図）。
【発明を実施するための最良の形態】
【００１５】
以下、本発明を実施するための最良の形態について、添付した図面を参照しながら詳細に説明する。
【００１６】
図１は、車両の側壁パネルの室内面に自動車用内装部品として配置されるドアトリムの正面図、図２は、図１のドアトリムに本発明を適用したときのアームレストの断面図（図１Ａ−Ａ矢視断面図）である。
【００１７】
図１のドアトリムＤＴ（自動車用内装部品）は、ドアトリム本体１をベースとして構成されており、ドアトリム本体１は、ドアトリムロア２とドアトリムアッパー３の上下２分割体を一体に接合し、その接合部付近にアームレスト４を装備した構造になっていて、かつ、車両の側壁パネルの室内面に取り付けられる。
【００１８】
ドアトリムロア２は、その略中央付近に、備品を収容できるドアポケット用開口５を有し、また、ドアトリムロア２は、そのフロント側に、図示しないスピーカーグリルを一体に又は別体に設けた構成になっている。
【００１９】
ドアトリムアッパー３は、所要形状のアッパーシート６と中接シート７の上下２分割体を一体に接合し、その中接シート７側を前記ドアトリムロア２に接合した構造になっている。アッパーシート６には、ドアを開閉するためのインサイドハンドルエスカレッション８が設けられており、中接シート７は、室内側から図示しない車両の側壁パネルに向かって凹状に湾曲した形状とすることにより、アームレスト４付近で肘掛奥行きスペースを広く確保できるように構成してある。
【００２０】
アームレスト４は、乗員が肘を掛けて休めるように室内の水平方向に延びている水平面部４Ａと、この水平面部４Ａから室内の下方に延びている垂直面部４Ｂとを連接した外観形状になっており、その垂直面部４Ｂは、車両の側突時に、乗員の腰部が当接する部位として機能する。
【００２１】
図２に示したように、前記アームレスト４は、そのベースとなるアームレスト芯材４０１と、アームレスト芯材４０１の表面を覆うアームレスト表皮材４０２と、アームレスト芯材４０１とアームレスト表皮材４０２との間に介在するアームレストパッド４０３とを備えている。
【００２２】
そして、アームレストパッド４０３が接触しているアームレスト芯材４０１の表面（上面）には、シボ等の凹凸Ｔ（図２の例では、シボ）が形成されており、このような凹凸Ｔの形成により、アームレスト芯材４０１表面の平均摩擦係数（ＭＩＵ値）は、１．０以下（好ましくは０．６以下）に設定されている。なお、シボ無しの時は平均摩擦係数（ＭＩＵ値）が１．８である。
【００２３】
前記のような平均摩擦係数の設定により、アームレスト芯材４０１表面とアームレストパッド４０３との間での摩擦抵抗が減り、それらの摩擦による擦れ音の発生が効果的に抑制される。特に、前記平均摩擦係数を０．６以下に設定すると、擦れ音発生の抑制効果がより一層高まる。
【００２４】
車両の側突時において、乗員の腰部がアームレスト４の垂直面部４Ｂに当接し、その垂直面部４Ｂに所定の荷重が作用すると、該荷重と反対向きの反力がドアトリムＤＴ側（具体的にはアームレスト４の垂直面部４Ｂ側）から乗員の腰部に作用する。
【００２５】
前記のような反力を低減する手段として、図２のアームレスト４では、アームレスト芯材４０１に段部４０１Ａを設けるとともに、該段部４０１Ａの上段と下段を繋いでいる連結部４０１Ｂに複数の図示しない開口を形成することで、段部４０１Ａ付近を基点としてアームレスト芯材４０１が座屈及び屈曲変形し易いように構成してある。なお、この段部４０１Ａの段差形状に合わせてアームレストパッド４０３も形成してある。
【００２６】
図２のアームレスト４では、アームレスト芯材４０１表面とアームレストパッド４０３は前記凹凸Ｔを介して単に接触しているだけであり、アームレスト芯材４０１とアームレストパッド４０３は一体化されていない独立のパーツとして存在し、アームレストパッド４０３は何の力も加えないでアームレスト芯材４０１の表面から上向き方向に外れるフリー状態になっている。このため、前記のように段部４０１Ａ付近を基点としてアームレスト芯材４０１が座屈変形する時、その座屈変形の動作が従来のようにアームレストパッド４０３によって著しく拘束されることはないから、ドアトリムＤＴ側（具体的にはアームレスト４の垂直面部４Ｂ側）からの前記反力は低減する。
【００２７】
ところで、図２のアームレスト４での擦れ音の抑制対策は、アームレスト芯材４０１の表面を成形する成形金型の成形面に、前記シボ等の凹凸Ｔに対応する凹凸を追加するだけで済むから、ドアトリムＤＴの製造工程において、擦れ音抑制対策として従来実施していた手間と費用を要する工程、すなわち、接着部材によるアームレスト芯材表面とアームレストパッドの接着工程を廃止すること、及び、接着部材の省略による製造コスト削減を図ることができ、ドアトリムＤＴのコスト低減を実現することができる。
【００２８】
前記アームレストパッド４０３は、そのクッション性によりソフト感を付与する手段として、アームレスト４の水平面部４Ａに対応する位置、すなわち前記アームレスト芯材４０１の上面に積層してある。
【００２９】
アームレスト芯材４０１は、ポリエチレン系樹脂、ポリプロピレン系樹脂、ポリスチレン系樹脂、ポリエチレンテレフタレート系樹脂、ポリビニルアルコール系樹脂、塩化ビニル系樹脂、ポリアミド系樹脂、ポリアセタール系樹脂、ポリカーボネート系樹脂、アイオノマー系樹脂、アクリロニトリル／ブタジエン／スチレン（ＡＢＳ）樹脂等、汎用の熱可塑性樹脂を射出成形することにより、所要形状に成形してある。
【００３０】
アームレスト表皮４０２は軟質樹脂の射出成形体からなり、その軟質樹脂としては、例えば、軟質塩化ビニル樹脂、サーモプラスチックエラストマー樹脂、ＥＰＤＭ等の合成ゴム系材料を使用することができる。また、アームレストパッド４０３はスラブウレタン等の軟質発泡体からなるものを採用することができる。
【符号の説明】
【００３１】
１  ドアトリム本体
２  ドアトリムロア
３  ドアトリムアッパー
４  アームレスト
４Ａ  アームレストの水平面部
４Ｂ  アームレストの垂直面部
４０１  アームレスト芯材
４０１Ａ  アームレスト芯材の段部
４０１Ｂ  段部の連結部
４０２  アームレスト表皮材
４０３  アームレストパッド
５  ドアポケット用開口
６  アッパーシート
７  中接シート
８  インサイドハンドルエスカレッション
ＤＴ  ドアトリム
Ｔ  凹凸
【図１】
2014151836.tif 000003
【図２】
2014151836.tif 000004
【図３】
2014151836.tif 000005